(57)【要約】【課題】短時間で安価に、既存の屋外設置物に対してでも、飛来物から保護できるようにする。【解決手段】屋外設置物１の保護装置であって、屋外設置物１の外側に並べて屋外設置物１を覆うための複数の箱体２を設け、複数の箱体２夫々に、屋外設置物１の外側に並べた状態で隣接するもの同士を互いに連結自在な連結部を設け、箱体２の内側に、箱体２に加わる外力を受け止めて吸収可能な衝撃吸収部材を内装してあり、箱体２を気密性に構成してある。【選択図】図１
2016008470.tif 000002
【特許請求の範囲】
【請求項１】
屋外設置物の保護装置であって、
前記屋外設置物の外側に並べて前記屋外設置物の少なくとも一部を覆うための複数の箱体を設け、
複数の箱体夫々に、前記屋外設置物の外側に並べた状態で隣接するもの同士を互いに連結自在な連結部を設け、
前記箱体の内側に、前記箱体に加わる外力を受け止めて吸収可能な衝撃吸収部材を内装してあり、
前記箱体を気密性に構成してある屋外設置物の保護装置。
【請求項２】
前記衝撃吸収部材は、外力により塑性変形する部材である請求項１に記載の屋外設置物の保護装置。
【請求項３】
前記箱体を、金属板から構成してあり、前記衝撃吸収部材は、無機断熱材から構成してあって、前記箱体に充填してある請求項１又は２に記載の屋外設置物の保護装置。
【請求項４】
前記無機断熱材は、ロックウール、グラスウール、金属ウール、ケイ酸カルシウム板の中から選択された少なくとも１種である請求項３に記載の屋外設置物の保護装置。
【請求項５】
前記衝撃吸収部材は、外力の加わる方向に軸心を沿わせた流体圧式ダンパーから成る請求項１に記載の屋外設置物の保護装置。
【請求項６】
複数の前記箱体夫々に、前記屋外設置物の外側に並べた状態で隣接するもの同士を互いに連結自在にするために、互いに係合可能な係止部材としてのバックルと、そのバックルが係止可能な被係止部材を、隣接する前記箱体の一方側部分と他方側部分とに夫々振り分けて設けて、複数の前記箱体夫々の前記連結部を構成してある請求項１〜５のいずれか１項に記載の屋外設置物の保護装置。
【請求項７】
請求項１〜６に記載の前記屋外設置物は、オイルタンクから成り、
前記オイルタンクの外周に巻き付け固定する取付バンドを設け、
前記取付バンドに前記箱体を取り付け可能に互いに係合可能な係止部材と被係止部材を、前記取付バンドと前記箱体とに振り分けて設け、
前記オイルタンクの外周部に、前記取付バンドを巻き付け固定した状態で、前記係止部材と前記被係止部材との係合により前記オイルタンクの外周部を覆うように、前記箱体を複数個並べて取り付けてある屋外設置物の保護設備。
【発明の詳細な説明】
【技術分野】
【０００１】
本発明は、屋外設置物の保護装置及び屋外設置物の保護設備に関する。
【背景技術】
【０００２】
従来、屋外設置物として、例えば、重油タンクなどの石油タンク、給水タンク、薬品タンク等の流体貯留タンクや、ビルや倉庫などの建造物、クレーン、屋外機器などの機械装置は、台風や竜巻など暴風による飛来物からの衝撃に対しての保護対策は、一般的になされていないのが現状である（周知技術で適切な文献が見当たらない）。  
【発明の概要】
【発明が解決しようとする課題】
【０００３】
上述した従来の屋外設置物は、近年、災害時の危機管理が問題視され始め、例えば、異常気象の変化に伴い、台風が最大風速６０ｍ/ｓ以上になる場合があるものの、竜巻が発生した場合、台風以上のエネルギーを有し、その風速が７０ｍ/ｓ以上になることもあり、その場合、倒壊した建造物や自動車が飛散する可能性がある。そして、竜巻の発生による飛来物が衝突して、屋外設置物が転倒したり破損したりする場合が考えられる。
そこで、発生する異常気象を想定して、上記設置物を保護すべく建物内に設置するか、地下内に設置する必要があるが、設置費用が大きく、設置時間も多くかかり、しかも、既存の設置物に対しては、保護対策が困難であるという問題があった。
【０００４】
従って、本発明の目的は、上記問題点を解消し、短時間で安価に、既存の屋外設置物に対してでも、飛来物から保護できるようにするところにある。
【課題を解決するための手段】
【０００５】
本発明の屋外設置物の保護装置における第１の特徴構成は、屋外設置物の保護装置であって、前記屋外設置物の外側に並べて前記屋外設置物の少なくとも一部を覆うための複数の箱体を設け、複数の箱体夫々に、前記屋外設置物の外側に並べた状態で隣接するもの同士を互いに連結自在な連結部を設け、前記箱体の内側に、前記箱体に加わる外力を受け止めて吸収可能な衝撃吸収部材を内装してあり、前記箱体を気密性に構成したところにある。
【０００６】
本発明の第１の特徴構成によれば、屋外設置物の少なくとも一部に対して、その外側に複数の箱体を並べて覆い、隣接するもの同士を互いに連結部を介して連結することにより、例え既設の屋外設置物であっても、その外周部の少なくとも一部を短時間で覆って簡単に保護できる。
しかも、複数の前記箱体には、その箱体に加わる外力を受け止めて吸収可能な衝撃吸収部材を内装してあることにより、箱体に、飛来物からの衝撃力が加わったとしても、箱体に内装した衝撃吸収部材が、大きな衝撃力を受け止めて吸収し、屋外設置物に直接外力が作用するのを防止することができる。
その上、前記箱体を気密性に構成してあるために、箱体内は断熱空間を形成し、複数の箱体で外周面を覆われた屋外設置物は、外気の熱を遮断される。
従って、屋外設置物を、短時間で簡単に飛来物から保護できながら、外気温度の影響を抑えて屋外設置物自身の保存環境を良好に維持できる。
【０００７】
本発明の第２の特徴構成は、前記衝撃吸収部材は、外力により塑性変形する部材である。
【０００８】
本発明の第２の特徴構成によれば、本発明の第１の特徴構成による上述の作用効果を叶えることができるのに加えて、箱体に、飛来物からの衝撃力が加わったとしても、内装した衝撃吸収部材が、大きな衝撃力を受け止めて塑性変形することにより吸収し、屋外設置物に直接外力が作用するのを防止できる。
【０００９】
本発明の第３の特徴構成は、前記箱体を、金属板から構成してあり、前記衝撃吸収部材は、無機断熱材から構成してあって、前記箱体に充填したところにある。
【００１０】
本発明の第３の特徴構成によれば、金属板から構成した箱体及びその中に内装する無機断熱材から構成した衝撃吸収部材は、不燃物になり、例えば、屋外設置物近くで火災などが発生したとしても、その保護機能は損なわれることがないばかりか、保護対象の屋外設置物そのものの熱による劣化も防止できる。
【００１１】
本発明の第４の特徴構成は、前記無機断熱材は、ロックウール、グラスウール、金属ウール、ケイ酸カルシウム板の中から選択された少なくとも１種である。
【００１２】
本発明の第４の特徴構成によれば、衝撃吸収部材を構成する無機断熱材が、ロックウール、グラスウール、金属ウール、ケイ酸カルシウム板の中から選択された少なくとも１種であるために、不燃性及び断熱性を発揮して、例え、近くで火災が発生したとしても、屋外設置物をその火災から守ることができる。
従って、屋外設置物が、例えば、液体収容タンクであったとしても、その液体収容タンク内に収容する液体の変質及び発火を防止できる。
【００１３】
本発明の第５の特徴構成は、前記衝撃吸収部材は、外力の加わる方向に軸心を沿わせた流体圧式ダンパーから成るものである。
【００１４】
本発明の第５の特徴構成によれば、箱体に収容する流体圧式ダンパーが、箱体に加わる外力を、その軸心方向の端部で受け止めて流体の移動抵抗により吸収するために、大きな衝撃力を緩慢に吸収して屋外設置物に作用するのを防止できる。
【００１５】
本発明の第６の特徴構成は、複数の前記箱体夫々に、前記屋外設置物の外側に並べた状態で隣接するもの同士を互いに連結自在にするために、互いに係合可能な係止部材としてのバックルと、そのバックルが係止可能な被係止部材を、隣接する前記箱体の一方側部分と他方側部分とに夫々振り分けて設けて、複数の前記箱体夫々の前記連結部を構成したところにある。
【００１６】
本発明の第６の特徴構成によれば、バックルとそのバックルが係止可能な被係止部材から成る連結部により、複数の箱体は、短時間で簡単に連結でき、屋外設置物の保護を手間少なくできる。
【００１７】
本発明の第７の特徴構成における屋外設置物の保護設備は、前記屋外設置物は、オイルタンクから成り、前記オイルタンクの外周に巻き付け固定する取付バンドを設け、前記取付バンドに前記箱体を取り付け可能に互いに係合可能な係止部材と被係止部材を、前記取付バンドと前記箱体とに振り分けて設け、前記オイルタンクの外周部に、前記取付バンドを巻き付け固定した状態で、前記係止部材と前記被係止部材との係合により前記オイルタンクの外周部を覆うように、前記箱体を複数個並べて取り付けたところにある。
【００１８】
本発明の第７の特徴構成によれば、一般的に円筒形のオイルタンクの外周に、取付バンドを巻き付け固定して、一方に設けた係止部材を他方に設けた被係止部材に係合させて取り付けることで、取付バンドに複数の箱体を、簡単に取り付けることができ、屋外に設置してある既設のオイルタンクを、短時間で保護可能に施工できる。
【図面の簡単な説明】
【００１９】
【図１】保護設備を設ける途中の屋外設置物の全体斜視図である。
【図２】保護設備を設けた屋外設置物の一部切欠き全体斜視図である。
【図３】箱体の取付け説明斜視図である。
【図４】箱体の外観を示す斜視図である。
【図５】箱体を斜め下方から見た斜視図である。
【図６】箱体の分解斜視図である。
【図７】箱体の一部を分解した斜視図である。
【図８】箱体の縦断面図である。
【図９】別実施形態の箱体の縦断面図である。
【図１０】保護設備を設けた屋外設置物の一部縦断面側面図である。
【図１１】保護設備を設けた屋外設置物の一部縦断正面図である。
【図１２】別実施形態の箱体の分解斜視図である。
【発明を実施するための形態】
【００２０】
以下に本発明の実施の形態を図面に基づいて説明する。
本発明の保護対象の屋外設置物は、火力発電所や原子力発電所、製造プラント、倉庫などにおける建造物の壁面や、重油などの可燃性燃料を収容する石油タンク、給水タンク、薬品タンク等の流体貯留タンク、クレーン、屋外機器などの機械装置である。
図１〜８に示すように、一例としての重油タンク等の屋外設置物１に対し、台風や竜巻等の暴風に伴う飛来物から受ける衝撃により、屋外設置物１の一部が破損する虞があり、その危険性を防止する必要がある。
そこで、その屋外設置物１の外側を保護するために、屋外設置物１の外側に並べて、その屋外設置物１を覆うための複数のステンレス製の箱体２を設け、複数の箱体２夫々に、屋外設置物１の外側に並べた状態で隣接するもの同士を互いに連結自在にするために、互いに係合可能な係止部材３としてのバックルと、そのバックルが係止可能な被係止部材４を、隣接する箱体２の一方側部分と他方側部分とに夫々振り分けて設けて、複数の箱体２夫々の連結部を設けてある。
【００２１】
前記箱体２には、箱体２に加わる外力を受け止めて吸収可能な衝撃吸収部材６として、ケイカル板（珪酸カルシウム板）を内装してあり、箱体２を気密性に成形して、箱体２全体で耐火断熱部材を構成してある。
【００２２】
屋外設置物１の外側に配置する箱体２の各姿勢が、前記箱体２は、屋外設置物１の外周面の形状に合わせて、その外側面を水平にするばかりか、垂直や、斜め方向に沿わせて設置するなどいろいろあるために、箱体２内で衝撃吸収部材６の端部に圧接して、衝撃吸収部材６を箱体２内で保持可能にする押圧機構１２を、箱体２に設けてある。
前記押圧機構１２は、図６〜８に示すように、衝撃吸収部材６の一方側の端面に接当する金属板１３を、複数枚重ね、その重ねた金属板１３の内の外側の金属板１３に、波型に成形したバネ式押え部材１４を介在して、その更に外側にステンレス製の外装板１５を箱体本体２Ａにリベット１６で取り付け固定して、衝撃吸収部材６を他端側に押圧して箱体２内に保持できるように構成してある。
【００２３】
尚、前記箱体２の外周面の一部には、連結部５としてバックル３と、そのバックル３に対する被係止部材４を取り付ける他に、取っ手１０を取り付けて、各箱体２を複数並べて屋外設置物１を保護するための施工がスムーズに行えるように、構成してある。
【００２４】
前記複数の箱体２を、屋外設置物１として円筒形のオイルタンクに取り付けるには、図２〜５に示すように、前記オイルタンク１の外周に巻き付け固定する金属製の取付バンド１７を設け、取付バンド１７に箱体２を取り付け可能に係止部材１８と被係止部材１９を、取付バンド１７と箱体２とに振り分けて設けてある。
従って、円筒形のオイルタンク１の外周部に、取付バンド１７を複数本巻きつけながら固定し、各取付バンド１７に一定間隔置きに取り付けたハンガーと呼ばれる複数の被係止部材１９に対し、箱体２の内側面に取り付けたフックと呼ばれる係止部材１８を係止することにより、オイルタンク１の外周面が、短時間で簡単に複数の箱体２で覆われ保護される屋外設置物１の保護設備を構成する。
【００２５】
円筒形のオイルタンク１を覆う箱体２は、オイルタンク１がその軸心を横方向に向けて設置された場合には、図１０，１１に示すように、オイルタンク１の底部で、防油堤２０で隠れる部分は、飛来物が衝突しないために、箱体２で覆う必要がない。
しかし、オイルタンク１を地面に固定するための複数の設置脚部２１は、その外側面を、箱体２で覆うように、箱体２を設置脚部２１に取り付ける。
【００２６】
〔別実施形態〕
以下に他の実施の形態を説明する。
【００２７】
〈１〉  前記屋外設置物１としては、重油やその他の石油等のオイルタンクや、薬品タンク、門型の搬送クレーン等が保護対象として考えられる。
〈２〉  前記箱体２に内挿する衝撃吸収部材６は、ケイカル板に代えて、ロックウール、グラスウール、金属ウールの中から選択された少なくとも１種で、無機断熱材から成る物であれば、耐火断熱性を備え、気密性の箱体２と前記無機断熱材とにより、外力からの保護のみならず、火災からの保護も兼ね備えることができる。
〈３〉  前記衝撃吸収部材６を、流体圧式ダンパーから構成してあってもよく、その使用される流体は、オイルの他に、空気や窒素ガスなどの気体であってもよい。
〈４〉  前記衝撃吸収部材６を、上記材料の他に、図１２に示すように、座屈変形可能な金属筒や、軟質の金属棒状体を、その軸心が外力の作用する方向に沿わせて箱体２内に収容してあってもよく、つまり、外力によって塑性変形して衝撃力を吸収する部材であればよい。
〈５〉  前記箱体２は、気密性を上げるために、箱体本体２Ａと外装板１５との接当部に無機シール材を設けてあってもよく、また更には、図９に示すように、外装板１５によってバネ式押え部材１４を介して押し付ける金属板１３を箱体本体２Ａの内周部で受け止める突出鍔部２Ｂを、設けてあってもよい。
〈６〉  複数の前記箱体２の衝撃力吸収能は、屋外設置物に対して全て均一な物を設置する以外に、屋外設置物の重要度の異なる箇所に応じた夫々異なる能力の物を設置してもよい。
〈７〉  前記箱体２により屋外設置物１を覆って保護するのに、飛来物の衝突する箇所などの一部のみを覆う以外に、屋外設置物１の全周面を覆ってもよい。
【００２８】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００２９】
１      屋外設置物
２      箱体
３      係止部材
４      被係止部材
５      連結部
６      衝撃吸収部材
１７    取付バンド
１８    係止部材
１９    被係止部材
【図１】
2016008470.tif 000003
【図２】
2016008470.tif 000004
【図３】
2016008470.tif 000005
【図４】
2016008470.tif 000006
【図５】
2016008470.tif 000007
【図６】
2016008470.tif 000008
【図７】
2016008470.tif 000009
【図８】
2016008470.tif 000010
【図９】
2016008470.tif 000011
【図１０】
2016008470.tif 000012
【図１１】
2016008470.tif 000013
【図１２】
2016008470.tif 000014